(57)【特許請求の範囲】
【請求項１】
薬剤送達装置のためのシグナル遅延アセンブリであって、前記アセンブリは、
流体を含む遅延雌部材と、
少なくとも１つの通路を有する遅延雄部材と、
前記遅延雌部材または前記遅延雄部材と接続された遅延ユニット（９６）とを備え、
前記雄部材と前記雌部材の間の互いに向かう相対運動は前記運動を減速させるための前記雌部材からの前記少なくとも１つの通路を介した前記流体の移動を生じ、前記遅延ユニットは少なくとも１つのフィードバックシグナルを遅延させるためにシグナル発生アセンブリに解放可能に接続され、
前記遅延ユニット（９６）に解放可能に接続された支持要素（１１２）をさらに備え、前記遅延雌部材と前記遅延雄部材との間の相対運動は、前記少なくとも１つのフィードバックシグナルを発生するためにシグナル発生アセンブリの前記遅延ユニットからの解放を生じる前記遅延ユニット（９６）と前記支持要素（１１２）との相対運動を生じ、
前記遅延ユニットが前記支持要素および前記シグナル発生アセンブリと接触する遅延位置から、前記遅延ユニットが前記支持要素および前記シグナル発生アセンブリの双方から接続を外れる解放位置まで前記遅延ユニット（９６）は前記支持要素（１１２）に対して可動に配置され、
前記シグナル発生アセンブリはシグナル発生部材（８４）および付勢要素（８０）を備え前記付勢要素（８０）は前記シグナル発生部材とプランジャロッド（７８）との間で張力をかけて配置され前記プランジャロッドおよび前記シグナル発生部材を動かし、
前記シグナル発生部材は前記薬剤送達装置の保持ユニット（５８）に解放可能に接続され、前記プランジャロッドの前記保持ユニットに対する所定の近位及び長手方向の運動は前記シグナル発生部材の解放を許容して、前記付勢要素は前記シグナル発生部材を前記保持ユニットに対して遠位側に動かし、
前記遅延ユニット（９６）は前記シグナル発生部材と接触して、前記シグナル発生部材の運動は前記遅延ユニットの前記遅延位置から前記解放位置への動きを生じることを特徴とする、シグナル遅延アセンブリ。
【請求項２】
前記遅延ユニットは可撓性アーム（１００）を備え、前記アームの自由端は内側を向いたレッジ（１０２）が配置される、請求項１に記載のシグナル遅延アセンブリ。
【請求項３】
前記可撓性アーム（１００）が前記内側を向いたレッジ（１０２）と接触し、前記内側を向いたレッジ（１０２）が前記シグナル発生アセンブリと接触する遅延位置から、前記可撓性アーム（１００）が前記支持要素との接続を外れ前記内側を向いたレッジ（１０２）が前記可撓性アームの前記支持要素に対する径方向の動きにより前記シグナル発生アセンブリから接続を外れる解放位置まで前記遅延ユニットは前記支持要素（１１２）に対して長手方向に移動可能である、請求項２に記載のシグナル遅延アセンブリ。
【請求項４】
前記解放位置における前記遅延ユニットは前記支持要素および前記シグナル発生部材の双方との接続を断ち、これにより前記シグナル発生部材は前記付勢要素によって前記支持要素および前記遅延ユニットに対して遠位に付勢される、請求項１に記載のシグナル遅延
アセンブリ。
【請求項５】
前記シグナル発生部材の遠位への動きは前記シグナル発生部材と比較的固定された面（１０８）との間の相互作用を生じて前記少なくとも１つのフィードバックシグナルを発生させる、請求項４に記載のシグナル遅延アセンブリ。
【請求項６】
前記相互作用は可聴のおよび／または触知の衝撃である、請求項５に記載のシグナル遅延アセンブリ。
【請求項７】
前記遅延ユニット（９６）は可視のしるしを備え、前記遅延ユニットが前記解放位置にあるとき、前記しるしがユーザに可視である、請求項１から６のいずれか１項に記載のシグナル遅延アセンブリ。
【請求項８】
前記流体は高粘性流体である。請求項１から７のいずれか１項に記載のシグナル遅延アセンブリ。
【請求項９】
請求項１から８のいずれか１項に記載のシグナル遅延アセンブリを備える薬剤送達装置。
【発明の詳細な説明】
【技術分野】
【０００１】
技術分野
本発明は薬剤送達装置のためのシグナル遅延アセンブリに関し、ある機能シーケンスが実行されたことをユーザに情報提供する少なくとも１つのフィードバックシグナルを遅延させることが可能である。
【背景技術】
【０００２】
発明の背景
多くの薬剤送達装置は自己投与のために開発され、すなわちユーザは薬剤送達を自分自身で実行する。これは薬剤送達装置が信頼可能で、正確で、安全で容易に使用できることを要する。これらの要求を満たすために、ヒューマンエラーのリスクは最小化され、投与を受けるために実行される必要のある活動の数は低減され、装置は直感的に使用できなければいけない。こうして、ヒューマンエラーのリスクを最小化するために、彼／彼女が薬剤の投与全量を受けたことの確認を使用者に正確に提供する装置を有することが望ましい。
【０００３】
自動または手動での送達部の注射、薬剤の自動注射、自動送達部格納または送達部の自動カバリングを提供する注射装置などの薬剤送達装置は技術上公知である。これらの注射装置は多くの利点を有するが、常に改善の余地がある。たとえば、薬剤の完全な送達と送達が完了したことの信頼可能な可聴のおよび／または触知可能のおよび／または可視の確認をユーザにもたらす部材の解放との双方を提供する装置は、これまでは製造において非常に厳しい許容差が要求された。
【０００４】
ユーザに信頼可能な投薬終了の確認をもたらすそのような部材の解放はＷＯ２０１１０４３７１４Ａ１に開示されている。解放活動はプランジャロッドが薬剤送達の運動を終了すると保持部がプランジャロッドから解放されることにより達成される。完全な薬剤の送達と送達が完了したことの信頼可能な可聴のおよび／または触知可能のおよび／または可視の確認をユーザにもたらす保持部の解放との双方が達成されるならば、プランジャロッドの移動と保持部のプランジャロッドからの解放は同時に起きなければならない。
【０００５】
こうして、ＷＯ２０１１０４３７１４Ａ１において、プランジャ移動が終了すると予測されるポイントにおいて第２の起動部の解放を起動するために使用される機械位置が１つのみある。プランジャ移動の流量と第２の起動部からのプランジャの解放のタイミングの予測は装置のパーツの製造およびアセンブリ寸法設計に依存し、こうして許容差は装置の正しい機能において重要な役割を果たす。
【０００６】
文書ＥＰ  ２  ７０５  ８６１はたとえば注射シーケンスが完了したことの感覚情報をもたらすためのいわゆる制御手段を備える薬剤送達装置を開示する。装置は、シグナルが発生し装置が除去可能となった時にシーケンスが真に完了したことを確定するためにいわゆるテンポライジング手段すなわち発生した情報を遅延させるよう制御手段に影響する遅延機構をさらに備える。
【０００７】
制御手段およびテンポライジング手段の適用例はやや複雑で、たとえば潤滑油により制御され低減された回転速度を有する回転可能な歯車ホイールを備える。歯車ホイールは制御手段およびテンポライジング手段アセンブリ上のラチェットレールを介して感覚指示器に接続される。制御手段およびテンポライジング手段アセンブリは起動前に予め負荷をかけられた状態にある。装置が使用された時制御手段およびテンポライジング手段アセンブリは注射シーケンスの最終あたりで解放される。ラチェットは動くが潤滑油と共に作用する歯車ホイールによって運動は遅くされ、これにより感覚指示器の起動を遅延させる。
【０００８】
理解可能なように、遅延されたシグナルを得るために解決において備えられる互いに相互作用する必要のある非常に多くの構成要素がある。こうして技術分野において改善の余地がある。
【０００９】
発明の簡潔な説明
本適用例において、用語「遠位部／端部」が使用された時、これはその装置の使用中患者の薬剤送達部位から最も遠くに位置する装置の部分／端部、またはその部材の部分／端部を指す。対応して、用語「近位部／端部」が使用された時、これはその装置の使用中患者の薬剤送達部位から最も近接して位置する装置の部分／端部、またはその部材の部分／端部を指す。
【発明の概要】
【発明が解決しようとする課題】
【００１０】
本発明の目的は説明した最新技術の欠点を改善することである。この目的は独立特許請求項の特徴を備える薬剤送達装置のためのシグナル遅延アセンブリによって得られる。発明の好ましい実施形態は従属特許請求項の主題を形成する。
【課題を解決するための手段】
【００１１】
本発明の主要な態様によれば、シグナル遅延アセンブリは流体を含む遅延雌部材、少なくとも１つの通路を有する遅延雄部材、遅延雌部材または遅延雄部材に接続された遅延ユニットを備え、雄部材と雌部材の間の、および互いへの相対運動は前記運動を遅らせるための前記流体の前記雌部材から少なくとも１つの通路を通じた運動を生じる。遅延ユニットは少なくとも１つのフィードバックシグナルを遅延させるための薬剤送達装置のシグナル発生アセンブリに解放可能に接続される。
【００１２】
シグナル遅延アセンブリは遅延雌部材と遅延雄部材との間の相対運動がシグナル発生アセンブリが少なくとも１つのフィードバックシグナルを発するための遅延ユニットからの解放を生じる遅延ユニットと支持要素との間の相対運動を生じるよう遅延ユニットに解放可能に接続された支持要素をさらに備える。さらに、遅延ユニットは支持要素に対して遅延ユニットが支持要素およびシグナル発生アセンブリの双方と接触する遅延位置から遅延ユニットが支持要素およびシグナル発生アセンブリの双方との接続を断つ解放位置まで移動可能に配置される。
【００１３】
本発明の一態様によれば、遅延ユニットは可撓性アームを備えアームの自由端部は内側を向いたレッジが配置される。したがって、遅延ユニットは可撓性アームが支持要素と接触し内側を向いたレッジがシグナル発生アセンブリと接触する遅延位置から可撓性アームが支持要素との接続を断ち内側を向いたレッジがシグナル発生アセンブリから接続を断つ解放位置まで可撓性アームの支持要素に対する径方向の運動によって支持要素に対して長手方向に移動可能である。
【００１４】
本発明の別の態様によれば、シグナル発生アセンブリはシグナル発生部材および付勢要素を備える。付勢要素はプランジャロッドおよびシグナル発生部材をそれぞれ移動させるために前記シグナル発生部材とプランジャロッドとの間に張力をかけて配置される。シグナル発生部材は薬剤送達装置の保持ユニットに解放可能に接続され、所定の近位側の長手方向の保持要素に対するプランジャロッドの運動は、付勢部材がシグナル発生部材を保持要素に対して遠位方向に動かすよう付勢するようシグナル発生部材の解放を許容する。保持ユニットは薬剤送達装置の構成要素である。
【００１５】
本発明のさらなる態様によれば、遅延ユニットはシグナル発生部材の運動が遅延ユニットを遅延位置から解放位置への運動を生じるようシグナル発生部材と接触する。遅延ユニットが開放位置にあるとき、それは支持要素およびシグナル発生部材から接続を断ち、これによりシグナル発生部材は付勢要素によって支持要素および遅延ユニットに対して遠位に付勢される。シグナル発生部材の遠位への運動は少なくとも１つのフィードバックシグナルが発生するようシグナル発生部材と比較的固定された表面との間の相互作用を生じる。好ましくは、比較的固定された表面はハウジングの一部であってもよい。シグナル発生部材が影響を及ぼす固定された表面の使用はユーザに聞こえる音と振動感覚の双方を装置内にもたらす。音と振動双方の創造は装置が取り除かれたかもしれない情報をユーザが得る可能性を促進する。シグナル発生部材は前記プランジャロッドがある所定の距離動いた時に解放される。こうしてシグナル発生部材はプランジャロッドが動く最中に投与の送達シーケンスを実行するときに解放される。好ましくはシグナル発生部材は投与送達シーケンスの最終頃にプランジャロッドがまだ動いている間に解放される。
【００１６】
実行可能な解決によれば、シグナル発生部材はそのベースを前記シグナル遅延アセンブリと接触させて配置されたＵ形状のブラケットを備えてもよく、付勢要素はシグナル発生部材上に作用する。好ましくはシグナル発生部材のＵ形状のベースは遅延ユニットのアームの内側を向いたレッジと接触する。こうして、シグナル発生部材はまず、保持ユニットの一部でもよい比較的固定された表面から解放され、シグナル発生部材のシグナル遅延アセンブリ上への作用を生じる。流体の移動中のある時間ピリオドの後、シグナル発生部材は遅延ユニットから解放されその後望ましいシグナルを発生させる。
【００１７】
発明の他の態様によれば、前記相互作用作用は可聴のおよび／または触知可能な衝撃である。
【００１８】
発明のさらなる態様によれば、遅延ユニットは遅延ユニットが開放位置にある時、前記しるしは可視であるよう可視のしるしを備える。薬剤送達装置のハウジングは好ましくは遅延ユニットが開放位置にある時それを通じてユーザにしるしが可視である窓が配置される。これはユーザに投与の送達シーケンスが終了し装置を取り外すことが安全であることのさらなる情報をもたらす。また、可視のしるしは装置が使用された事を指示してもよい。これはユーザが既に消費された装置の使用を試みるリスクを低減する。
【００１９】
発明のさらなる態様によれば、流体は高粘性流体である。好ましくは、使用される流体は潤滑油である。潤滑油は高粘性を有しているので、潤滑油をシグナル遅延アセンブリの通路内に押し込むためにいくらかの力を要する。潤滑油はまた異なる粘度の潤滑油を用いることにより遅延時間を変える可能性をもたらす。しかしながら正しい特性を示す他の流体もまた同様に使用可能であることが理解されるべきである。
【００２０】
発明のさらなる態様によれば、ハウジングユニットは薬剤送達装置のハウジングに固定的に接続され支持要素は保持ユニットまたは保持ユニットに固定的に接続された構成要素に統合された部分である。
【００２１】
すべての以上に述べた態様およびシグナル遅延アセンブリの目的を備える強化された薬剤送達装置を得ることもまた発明の目的である。
【００２２】
薬剤送達装置はハウジングを備え、ハウジングは薬剤容器を含むことが可能であり、薬剤容器は薬剤送達部を収容してもよい。薬剤送達部は薬剤容器に付着されまたは一体にされてもよく薬剤の送達のための接続可能な送達部でもよい。接続要素はたとえば、ねじ、差し込み接続またはルアー接続などの異なる種類でもよい。
【００２３】
薬剤送達装置は薬剤送達部、およびプランジャロッドに操作可能に接続された付勢要素を通じて薬剤の投与を押し出すための薬剤容器のストッパを動かすために操作可能に配置されたプランジャロッドをさらに備えてもよい。付勢要素はプランジャロッドに力を行使可能な複数の異なる設計で構成されてもよい。典型的な付勢要素は圧縮螺旋ばね、時計ばね、ねじりばね、ガスばねなどの異なる種類のばねである。
【００２４】
遅延ユニットは少なくとも１つのフィードバックシグナルを遅延するために薬剤送達装置のシグナル発生アセンブリに解放可能に接続される。
【００２５】
薬剤送達装置のシグナル発生アセンブリは投与が送達された時に投与送達シーケンスが実行され、装置を取外すのが安全であることをユーザに伝える少なくとも１つのフィードバックシグナルをもたらすよう設計される。シグナル発生装置なしでは、ユーザは送達シーケンスが終了した時点を正確に知ることができず、装置の起動のポイントから経過した時間を推測または見積もらなければいけない。構成要素間の摩擦、付勢要素から得られる力などに関する装置間の違いにより、送達シーケンスに要する時間は変化するかもしれず、ユーザの見積もりをより困難にする。
【００２６】
こうして、薬剤送達装置は前記少なくとも１つのフィードバックシグナルの発生を遅延させるためのシグナル発生アセンブリに操作可能に接続されたシグナル遅延アセンブリがさらに配置される。これは装置が投与送達場所から取り外される前に投与送達シーケンスが完全に実行されることを保障する。こうして、たとえばストッパの弾性により薬剤容器内に残るかもしれない薬剤の残量は安全に送達される。
【００２７】
好ましい解決によれば、薬剤送達装置は以上に示された態様によるシグナル遅延アセンブリが提供されてもよい。少なくとも１つの通路を通じる高粘性流体の移動は妨害行動を発生させ、これによりシグナルを発生させる要素の運動は、シグナル発生アセンブリが起動される前に投与送達シーケンスが間違いなく終了したことを保障するよう遅くされる。
【００２８】
この解決は少数の構成要素の堅固な設計をもたらす。
本発明のこれら、および他の態様および利点は、以下の発明の詳細な説明と添付の図面により明らかになるであろう。
【００２９】
図面の簡潔な説明
発明の以下の詳細な説明において、添付図面への参照がなされる。
【図面の簡単な説明】
【００３０】
【図１】本発明を備える薬剤送達装置の展開図である。
【図２】図１の装置の断面図である。
【図３ａ】図１の装置内に備えられた構成要素の詳細図である。
【図３ｂ】図１の装置内に備えられた構成要素の詳細図である。
【図４】図１の装置内に備えられた構成要素の詳細図である。
【図５ａ】図１の装置内に備えられた構成要素の詳細図である。
【図５ｂ】図１の装置内に備えられた構成要素の詳細図である。
【図６】図１の装置内に備えられた構成要素の詳細図である。
【図７】図１の装置内に備えられた構成要素の詳細図である。
【図８】図１の装置内に備えられた構成要素の詳細図である。
【図９】図１の装置内に備えられた構成要素の詳細図である。
【図１０】図１の装置の機能状態の詳細図である。
【図１１ａ】図１の装置の機能状態の断面図である。
【図１１ｂ】図１の装置の機能状態の断面図である。
【図１２ａ】図１の装置の機能状態の断面図である。
【図１２ｂ】図１の装置の機能状態の断面図である。
【図１３】図１の装置の機能状態の詳細図である。
【図１４】図１の装置の機能状態の詳細図である。
【図１５】図１の装置の機能状態の詳細図である。
【図１６】図１の装置の機能状態の詳細図である。
【発明を実施するための形態】
【００３１】
発明の詳細な説明
薬剤送達装置のためのシグナル遅延アセンブリの一例と薬剤送達装置の一例が説明される。
【００３２】
図に示される薬剤送達装置のためのシグナル遅延アセンブリは、流体１４０を含む遅延雌部材１３８、図１０の少なくとも１つの通路１２８を有する遅延雄部材１２４および例示的な実施形態では遅延雄部材と統合された遅延ユニット９６（図９）を備える。代替的な実施形態において、遅延ユニットは、遅延雌部材が遅延ユニットと共に移動可能であるよう代わりに遅延雌部材と統合される。遅延ユニット９６は薬剤の投与が完全に送達されたことを示す少なくとも１つのフィードバックシグナルを発生させる薬剤送達装置のシグナル発生アセンブリに解放可能に接続される。雄部材および雌部材は両者間の相対運動が流体を雌部材から少なくとも１つの通路内への移動を生じるよう互いに向かって動くよう設計される。この流体は高粘性流体であり少なくとも１つの通路は流体の移動が遅くそのため雄部材と雌部材との間の運動すなわち遅延雌部材に対する遅延ユニットおよび遅延雄部材の運動が遅くされ、減衰され遅延されるよう設計される。流体が移動された後、シグナル発生アセンブリは遅延ユニットから解放され、シグナル遅延アセンブリにより遅延されたシグナルを発生させる。
【００３３】
シグナル遅延アセンブリは、遅延雌部材と遅延雄部材の相対運動が、少なくとも１つのフィードバックシグナルを発生させるためにシグナル発生アセンブリの遅延ユニットからの解放を生じる遅延ユニット９６と支持要素１１２との間の相対運動を生じるよう図８の遅延ユニット９６に解放可能に接続された支持要素１１２をさらに備える。さらに、遅延ユニット９６は支持要素１１２に対して遅延ユニットが支持要素およびシグナル発生アセンブリと接触する遅延位置から、遅延ユニットが支持要素およびシグナル発生アセンブリ双方との接続を断つ解放位置まで移動可能に配置される。
【００３４】
図に示された薬剤送達装置は本実施形態ではアセンブリ目的のために２つの部分に分割されるハウジングを備える。第１の部分は遠位端１２および近位端１４を有する概ね筒状の細長い近位ハウジング１０であり、第２の部分は適切な固定要素によって近位ハウジング１０の遠位端部に取り付け可能な端キャップの形態を有する遠位ハウジング１３４である。２つの部分は互いに固定されすなわち装置のハウジングは１つの構成要素に見えてもよいことが明らかである。近位ハウジング１０は図１および図３の窓または開口部１８がさらに配置され、それを通じて薬剤容器２０を見ることができる。それぞれの開口部１８は図３の内側を向いた周方向のレッジ２２が配置される。リング形状の支持要素２４は開口部１８のレッジ２２にさらに取り付けられる。装置は図１の概ね筒形状を有する薬剤容器ホルダ２６をさらに備える。薬剤容器ホルダ２６は開口部１８のレッジ２２によって概ね径方向に、リング形状の支持要素２４によって概ね長手方向に支持されて配置される。
【００３５】
薬剤容器ホルダ２６は薬剤容器２０を収容するために配置され、薬剤容器２０はその上に、一体的にまたは薬剤容器２０に接続可能に図２の薬剤送達部２８が配置される近位端を有する。薬剤送達部２８は好ましくは使用前に、この実施形態ではいわゆる固い針シールドまたはＲＮＳとして示される薬剤送達部シールド３０によって保護される。しかしながら他の種類の薬剤送達部シールドが薬剤送達部の望ましい保護を得るために使用されてもよいことが理解されるべきである。薬剤容器２０は図２の可動ストッパ３２がさらに配置される。
【００３６】
近位ハウジングの近位端には図１の中心通路３４が配置され、それを通じて図１および図４のように概ね筒状薬剤送達部ガード３６が延びる。薬剤送達部ガード３６はハウジング１０内に摺動可能に配置される。薬剤送達部ガード３６は近位筒状部３８と筒状部３８から延びる２つの遠位を向いたアーム４０を備える。薬剤送達部ガードばね４２は薬剤送達部ガード３６の遠位を向いた周方向壁部とハウジングの近位を向いた周方向表面との間に配置される。アーム４０は薬剤容器ホルダ２６に沿って摺動可能であり図４の細長い溝４６内に嵌合した薬剤容器ホルダ２６の外側表面上の細長いレッジによってアーム４０内をガイドされる。アーム４０の遠位端において、図４のように内側を向いた突起４８が配置される。突起は図４および図５の回転体５０と操作可能に相互作用するよう配置され、順に薬剤容器２０の遠位に位置づけられる。
【００３７】
回転体５０は概ね筒形状を有し、以下に説明されるように薬剤送達部ガード３６の突起４８との相互作用が意図されたガイドリッジ５２が配置され、ガイドリッジのいくつかのセクション５２ｉは図５のように装置の長手方向に対して傾いている。回転体５０はガイドリッジの隣に位置する、概ね径方向に可撓な舌部５６上に配置されたくさび形状の突起５４がさらに配置され、くさび形状の突起５４は以下に説明されるように、装置の使用が完了した後薬剤送達部ガード３６の係止が意図される。
【００３８】
保持ユニット５８は回転体５０にさらに操作可能に配置される。図６および図８の保持ユニット５８は回転体５０の内側直径よりも少し小さい直径を有し図６の中心通路が提供される第１の近位筒状セクション６０を備える。近位ハウジング１０の遠位部に嵌合し取り付けられて配置される第２のセクション６２をさらに備える。第１のセクション６０はこの実施形態では第１のセクション６０の近位端面から近位方向に延びるアーチ形状要素の形態で示される保持要素６４がさらに配置される。保持要素６４は図２のように薬剤容器ホルダ２６内に位置した時に薬剤容器２０と接触し圧迫する。保持ユニットはハウジングと固定的に接続するよう設計される。
【００３９】
さらに、第１のセクション６０は概ね径方向に可撓な近位に延びるアーム６６が配置される。アーム６６の自由端は以下に説明されるように回転体５０の内側面と相互作用する外側に延びる突起６８を有する。この点において、回転体５０は図５ｂに見られるように支持面７０と支持面７０に隣接する長手方向に延びる凹部７２が配置され、支持面７０と凹部７２は以下に説明されるように、外側に延びる突起６８と相互作用する。さらにアーム６６の自由端は内側に延びる突起７４が配置され、突起７４は中心通路６１内を延び図７のようにプランジャロッド７８上の凹部７６と相互作用することが意図され、プランジャロッド７８は保持ユニット５８の中心通路内部に位置づけられる。この点において、プランジャロッドの直径は中心通路６１の直径よりも幾分小さい。
【００４０】
シグナル発生アセンブリは図７のようにシグナル発生部８４と付勢要素とを備える。付勢要素８０は図２、図１１ａから図１２ｂのように前記シグナル発生部とプランジャロッド７８との間で張力をかけて配置され、以下に説明されるように、プランジャロッドおよびシグナル発生部を動かすよう設計される。
【００４１】
図２、図７及び図１１ａから図１２ｂに見られるように、付勢要素８０は空洞プランジャロッド７８の穴内部に位置する圧縮ばねであり、シグナル発生部８４はベース８６および２つのアーム８８を有する概ねＵ形状の要素である。図２、図７及び図１１ａから図１２ｂのように付勢要素はプランジャロッド７８の端壁８２と接触する近位端とシグナル発生部８４のベース８６と接触する遠位端に位置づけられる。シグナル発生部８４のアーム８８はプランジャロッドの外面に沿ってこれと接触し近位方向を向き、アーム８８の自由端は概ね径方向外側を向いたレッジ９０が配置される。これらのレッジ９０は図６のように保持ユニット５８の中心通路６１を取り囲む近位を向いた面９２と接触して配置される。図７のばねガイドロッド９３はベース８６の近位方向面にさらに配置され付勢要素８０内に延びて、付勢要素８０の曲がりを防止する。
【００４２】
図９および図１０に示されるように、遠位ハウジング１３４は遅延雌部材１３８が配置される内側の近位を向いた面１３６を備える。遅延雌部材１３８は筒形状を有し遠位ハウジング１３４の内側の近位を向いた面１３６から近位方向に向かって延びる。代替的な実施形態において、遅延雄部材は近位を向いた面１３６に配置され遅延雌部材は遅延ユニット９６に配置される。
【００４３】
図８および図９に示されるように、遅延ユニット９６は可撓アーム１００を備えそれぞれのアームの自由端は内側を向いたレッジ１０２が配置される。概ね近位を向いたアーム１００は概ね径方向に可撓であり遅延ユニットのメイン本体９８に配置される。レッジ１０２は図８のように長手方向スロット１０４内に嵌合し、ハウジングユニット５８の遠位端において概ね筒状のポスト１０６上に配置される。ポスト１０６は端壁１０８に配置され、その機能は以下に説明される。概ね筒状の支持部材１１０は保持ユニット５８を支持するために近位ハウジングと接触して配置される。
【００４４】
シグナル遅延アセンブリの支持要素１１２は保持ユニットに配置される。図８および図１０に見られるように、支持要素１１２は保持ユニットと、より具体的には筒状支持部材１１０と一体的であり、支持要素１１２は長手方向に延びる径方向内側を向いたレッジでありポスト１０６のスロット１０４の径方向反対側に位置する。さらに、筒状支持部材１１０は切り欠き１１４が配置され、その機能は以下に説明される。図１０に示されたような最初の、起動されていない装置の位置において、アーム１００は支持要素１１２と接触し、概ね径方向外側向きのアームの運動を防止する。アーム１００の内側を向いたレッジ１０２はシグナル発生部８４の遠位端と、より具体的にはシグナル発生部のベース８６とさらに接触する。
【００４５】
遅延ユニット９６は可視のしるし１２０をさらに備え、遅延ユニットが開放位置にある時、前記しるしは装置のハウジングを通じて可視である。図８に見られるように、遅延ユニット９６のメイン本体９８は湾曲した、外側を向いた面を有する要素１１６がさらに配置される。要素１１６は支持部材１１０の切り欠き１１４と概ね同じ径方向位置に位置づけられる。湾曲した要素１１６の面は、シンボルや一定の色付の表示などの可視のしるし１２０が配置され、その機能は以下に説明される。さらに、メイン本体９８は遅延雄部材１２４が取り付けられる概ね径方向内側を向いた橋架部が配置され、遠位方向に延びる。遅延雄部材１２４は通路１２８が配置されるその遠位端に端壁１２６が配置される。遠位端において、遅延雄部材の外側面には周方向の溝１３０が配置され、その溝内には弾性のＯリング１３２が嵌合可能である。
【００４６】
遅延雌部材１３８の直径は遅延雄部材１２４の弾性Ｏリングが遅延雌部材１３８の内側壁と封止接触するよう選ばれる。図１０に見られるように、当初の、起動されていない装置の位置において、遅延雄部材１２４の端壁１２６と遠位ハウジング１３４の近位面との間には一定の距離がある。遠位ハウジング１３４は図９のように、遅延ユニット９６上で可視のしるし１２０と並ぶ開口部または窓１４１がさらに配置され、その機能は以下に説明される。
【００４７】
最後に、薬剤送達装置は図１および図２のように、その近位端に接続可能な保護キャップ１４２が配置される。保護キャップ１４２は筒状部１４４で薬剤送達部ガード３６内に延び薬剤送達部シールド３０を囲む。筒状部１４４の内側面には薬剤送達部シールド３０をグリップ可能なグリップ要素１４６が配置される。
【００４８】
シグナル遅延アセンブリは薬剤送達装置と一体で以下の機能が意図される。薬剤容器２０は薬剤容器ホルダ２６内に装着され装置のハウジング内に位置する。付勢要素８０はプランジャロッド７８の端壁８２とシグナル発生部材８４のベース８６の間で図２に見られるように張力をかけられる。プランジャロッド７８はプランジャロッド７８の凹部７６内に位置したアーム６６の突起７４によって保持ユニット５８に対する位置に保持される。さらにアーム６６の外側を向いた突起が回転体５０の支持面７０と接触する点でアーム６６は外側に動くことが防止される。こうして付勢要素は事前に張力をかけられた状態に保持される。
【００４９】
さらにシグナル発生部材８４は図６のように保持ユニット５８の表面９２上に乗るレッジ９０のために付勢要素８０の力によって遠位方向に動かされるのを防止する。シグナル発生部材８４のアーム８８は図１１ｂに見られるようにアーム８８の内側面と接触するプランジャロッド７８によって概ね径方向に動かされるのをさらに防止する。さらに、遅延ユニット９６のアーム１００のレッジ１０２はシグナル発生部材８４のベース８６の遠位を向いた面と接触し、アーム１００は図１１ｂに見られるように支持要素１１２によって概ね径方向に動かされるのを防止される。
【００５０】
ユーザに送達された際、薬剤送達装置の近位端にはその近位端に保護キャップ１４２が提供される。装置が使用されるとき、保護キャップ１４２はそれを近位方向に引き抜くことによって取り外される。これはグリップ要素１４６が薬剤送達部２８から薬剤送達部シールドを把持し取り外すことを生じる。薬剤送達部ガード３６が最も近位位置にあり、図１１のように薬剤送達部ガードバネ４２によって付勢される。
【００５１】
ユーザが薬剤送達部ガード３６の近位端を投与送達場所に対して押し、注射針が薬剤送達部２８に使用されると、ユーザの皮膚への貫通が実行される。薬剤送達部ガード３６はハウジングに対して遠位方向に動く。これは順に突起が傾斜セクション５２ｉと接触し、回転体５０の装置の長手方向軸周りでの回転を生じるよう、薬剤送達部ガード３６の突起４８を回転体のガイドリッジ５２に沿った動きを生じさせる。
【００５２】
回転体５０の回転はハウジングユニット５８の外側に延びる突起６８の回転体５０の支持面７０との接触から外れ凹部７２内への動きを生じる。保持ユニット５８のアーム６６はここで外側に自由に可撓であり、これによりアーム６６の内側を向いた突起７４はプランジャロッド７８の凹部７６との接触から外れて動く。
【００５３】
プランジャロッド７８は今や付勢要素８０の力によって近位方向に移動自在であり、これによりプランジャロッド７８の近位端は図１２に見られるように、投与の薬剤が薬剤送達部２８を通じて押し出されるよう、薬剤容器２０内のストッパ３２に作用し近位方向に動かす。
【００５４】
許容差に依存して、ストッパ３２がプランジャロッド７８によって近位端または薬剤容器２０内のほぼ近位端に動かされたとき、図１３に見られるようにプランジャロッド７８はシグナル発生部材８４のアーム８８との接触から外れて移動される。シグナル発生部材８４のアーム８８はレッジ９０が保持ユニット５８の表面９２との接触から外れて動くようこうして自由に内側に可撓であり、付勢要素８０の余力によって、シグナル発生部材８４は図１０のようにシグナル遅延アセンブリの遅延ユニット９６のアーム１００のレッジ１０２上に遠位を向いた力Ｆを押す。同時に、付勢要素８０はプランジャロッドを近位方向を向いた力ーＦを有して近位方向に促し続ける。
【００５５】
遅延ユニット９６は力Ｆによって可撓アーム１００が支持要素と接触し内側を向いたレッジ１０２がシグナル発生部材８４のベース８６と接触する遅延位置から可撓アーム１００が支持要素との接続から外れ内側を向いたレッジ１０２が図１４に見られるように可撓性アームの支持要素に対する径方向の動きによってシグナル発生部材８４のベース８６との接触を外れて動く解放位置まで支持要素１１２に対して長手方向に動く。こうして、本実施形態において遅延雄部材１２４はまた遅延雌部材１３８内部で遠位方向に動かされその内部に含まれた流体１４０に圧力を加える。流体への圧力は中心通路１２８を通じて付勢し、通路は狭く流体は高粘性であるため、シグナル発生部材８４と遅延ユニット９６双方の遠位方向への動きは、減衰／遅らされる。シグナル発生部材８４の遅い動きの間、ストッパ３２は押されてその端位置まで近位に押され、注入シーケンスを終了する。
【００５６】
遅延ユニット９６が保持ユニット５８に対して一定位置に到達し遅延雄部材１２４の端壁が遠位ハウジング１３４の近位面１３６にほぼ達したとき、アーム１００は図１４に見られるように支持要素１１２との接触から外れて動き、これによりアーム１００は図１５のように概ね径方向外側に可撓である。図１４に見られるように、所定の距離ｄがシグナル発生部材の解放位置と、比較的固定された面すなわちシグナル発生部材８４の動きに対して長手方向に固定された、保持ユニット５８の端壁１０８の近位を向いた面との間に設計される。
【００５７】
こうしてシグナル発生部材８４は距離ｄに沿って付勢要素の力によって自由に動いて加速する。シグナル発生部材の遠位の動きは少なくとも１つのフィードバックシグナルが発生するようシグナル発生部材と端壁１０８との間の相互作用を生じる。相互作用は可聴のおよび／または触知の衝撃である。可聴のまたは触知の衝撃はシグナル発生部材８４が図１５に見られるようにポスト１０６の端壁１０８にぶつかるとき発生する。衝撃は可聴で触知のシグナルを発生させ、そのシグナルはユーザに注入シーケンスが終了に近づき装置を投与送達部位から取り外すのが安全であることを示す。さらに、遅延ユニット９６が説明されたようにハウジングに対して遠位方向に動かされるため、遅延ユニット９６の要素１１６の可視のしるし１２０は図１６のように遠位ハウジング１３４を通じて可視の窓１４２と並ぶよう遠位に動き、さらにユーザに注入シーケンスが終了し装置の取外しが安全であることを示す。可視のしるしは後に装置が消費され廃棄される必要があることを示すために使用されてもよい。この点において、可視のしるしははっきりと見ることのできる明るい色でもよい。
【００５８】
ユーザが装置を送達部位から取り外すにつれて、薬剤送達部ガード３６はハウジング１０に対して、近位方向に動き、薬剤送達部ガードバネ４２によって付勢される。これは代わりにアーム４０の突起４８が回転体５０のガイドリッジ５２に沿って動き、これにより突起４８は舌部５６の可撓活動によってくさび形状の突起５４を通過する。突起５４の通過は薬剤送達部ガード３６の延長位置における係止を生じ、これにより任意の非意図的な接触と薬剤送達部による生じうる怪我を防止する。装置は今では安全な方法で破棄されてもよい。
【００５９】
代替的な実施形態（示されていない）において遅延雌部材は遅延ユニット９６と一体的（またはこれに取り付けられる）であり遅延雄部材は遠位ハウジング１３４の内部の近位を向いた面１３６に配置される。
【００６０】
以上に説明され図に示された実施形態は発明の非限定的な例にすぎず特許請求項の範囲内で多くの方法で修正されてもよいものとみなされるべきである。
【図１】
0006452806.tif 000002
【図２】
0006452806.tif 000003
【図３ａ】
0006452806.tif 000004
【図３ｂ】
0006452806.tif 000005
【図４】
0006452806.tif 000006
【図５ａ】
0006452806.tif 000007
【図５ｂ】
0006452806.tif 000008
【図６】
0006452806.tif 000009
【図７】
0006452806.tif 000010
【図８】
0006452806.tif 000011
【図９】
0006452806.tif 000012
【図１０】
0006452806.tif 000013
【図１１ａ】
0006452806.tif 000014
【図１１ｂ】
0006452806.tif 000015
【図１２ａ】
0006452806.tif 000016
【図１２ｂ】
0006452806.tif 000017
【図１３】
0006452806.tif 000018
【図１４】
0006452806.tif 000019
【図１５】
0006452806.tif 000020
【図１６】
0006452806.tif 000021